(57)【特許請求の範囲】
【請求項１】
手で把持できる本体ケーシングと、該本体ケーシングに対して選択して着脱自在に取付けられる毛を脱毛するための脱毛ヘッドと、毛を切断するための切断ヘッドとよりなる脱毛装置であって、本体ケーシングに本体側駆動ブロックを内装し、脱毛ヘッドに脱毛するための脱毛ブロックと、脱毛ヘッドを本体ケーシングに取付けた状態で上記本体側駆動ブロックの駆動の伝達により駆動して脱毛ブロックを駆動させるための駆動ブロックとを備え、切断ヘッドに毛を切断するためのくし刃ブロックと、切断ヘッドを本体ケーシングに取付けた状態で上記本体側駆動ブロックの駆動の伝達により駆動してくし刃ブロックを駆動させるための駆動ブロックとを備え、上記切断ヘッドに毛を一定の高さに切り揃えるための刈り高さ揃え用のアタッチメントを着脱自在に設けて成ることを特徴とする脱毛装置。
【請求項２】
くし刃が通常のカット位置よりもポップアップできるものであって、アタッチメント装着時の刈り高さ揃えがくし刃をポップアップした状態で有効であることを特徴とする請求項１記載の脱毛装置。
【請求項３】
アタッチメントが本体ケーシング又は本体ケーシングに取付けたヘッドに着脱自在で、ヘッドの刃部分をアタッチメントにより覆うことを特徴とする請求項１記載の脱毛装置。
【請求項４】
アタッチメントを切断ヘッドに装着した状態で、くし刃と肌との間に毛の支持部を設けて成ることを特徴とする請求項１記載の脱毛装置。
【請求項５】
毛の支持部を摩擦抵抗の大きい弾性体により構成して成ることを特徴とする請求項４記載の脱毛装置。
【請求項６】
アタッチメントは刈り高さが調整可能であることを特徴とする請求項１記載の脱毛装置。
【請求項７】
アタッチメントを切断ヘッドに装着することでくし刃がポップアップするものであることを特徴とする請求項１記載の脱毛装置。
【発明の詳細な説明】
【０００１】
【発明の属する技術分野】
本発明は、脱毛装置に関するものである。
【０００２】
【従来の技術】
従来、脱毛において、長い毛を脱毛する場合、脱毛手段が長い毛の先を挟み、毛を引き抜くと毛の途中からちぎれる毛切れや、毛を引き抜くまでに至らないほどに引っ張る毛引きによる刺激が発生し、それが脱毛行為自体の刺激に重複され、刺激がより大きくなるという問題があった。
【０００３】
このような問題に対して、従来では特開平４ー１２６１０３号公報や、ドイツ特許公報ＤＥ４３２０９５８号に示されているように、脱毛手段の前にトリマーを配置したものや、脱毛の前処理として切断手段が脱毛手段と切り換え自在となったものがある。
【０００４】
【発明が解決しようとする課題】
しかしながら、上記の特開平４ー１２６１０３号公報に示された従来例にあっては、確かに毛の長さが一定の長さに揃えられ、脱毛時の刺激を和らげることができるが、体毛処理としては脱毛しかできないという問題があり、また、上記ドイツ特許公報ＤＥ４３２０９５８号に示された従来例では、確かに毛を切断することができるが、脱毛前の毛を一定の長さに揃える前処理としては毛が短くなりすぎてしまい、脱毛効率が悪くなってしまうという問題がある。
【０００５】
本発明は上記の従来例の問題点に鑑みて発明したものであって、脱毛前の毛を一定の長さに揃える前処理ができ、且つ毛を短く切断するための刈り高さが切り換え可能な脱毛装置を提供することを課題とするものである。
【０００６】
【課題を解決するための手段】
上記課題を解決するために、本発明の美容器具は、手で把持できる本体ケーシングと、該本体ケーシングに対して選択して着脱自在に取付けられる毛を脱毛するための脱毛ヘッドと、毛を切断するための切断ヘッドとよりなる脱毛装置であって、本体ケーシングに本体側駆動ブロックを内装し、脱毛ヘッドに脱毛するための脱毛ブロックと、脱毛ヘッドを本体ケーシングに取付けた状態で上記本体側駆動ブロックの駆動の伝達により駆動して脱毛ブロックを駆動させるための駆動ブロックとを備え、切断ヘッドに毛を切断するためのくし刃ブロックと、切断ヘッドを本体ケーシングに取付けた状態で上記本体側駆動ブロックの駆動の伝達により駆動してくし刃ブロックを駆動させるための駆動ブロックとを備え、上記切断ヘッドに毛を一定の高さに切り揃えるための刈り高さ揃え用のアタッチメントを着脱自在に設けて成ることを特徴とするものである。このような構成とすることで、脱毛の前処理として、毛を一定の長さに切り揃えることができて、脱毛時の刺激を小さくすることができ、また、部位に応じて毛を切断する切断器具として使えば、毛を短く切断処理することができる。
【０００７】
また、くし刃が通常のカット位置よりもポップアップできるものであって、アタッチメント装着時の刈り高さ揃えがくし刃をポップアップした状態で有効であることが好ましい。すなわち、通常切断ヘッドによる除毛はより短く刺激が少なくなければならず、通常状態において切断ヘッドのくし刃は外殻の外刃フレームの前壁の高さに近接しており、直接くし刃に肌が当たりすぎることを防止している。しかも、この位置にくし刃があると長い毛が外刃フレームの前壁に当たり、くし刃に導入されない。そして、アタッチメントを設けてもくし刃の位置が同じであると毛がくし刃に導入されないことになる。このため、くし刃を上記のように通常のカット位置よりもポップアップできるようにすることで、アタッチメント装着時にくし刃に毛をスムーズに導入して刈り高さを揃えて短く切断できるものである。
【０００８】
また、アタッチメントが本体ケーシング又は本体ケーシングに取付けたヘッドに着脱自在で、ヘッドの刃部分をアタッチメントにより覆うことが好ましい。このような構成とすることで、アタッチメントにより刃部分を保護できるものである。
また、アタッチメントを切断ヘッドに装着した状態で、くし刃と肌との間に毛の支持部を設けることが好ましい。このような構成とすることで、アタッチメントは肌とくし刃との間の距離を保つとともに、毛の導入を助ける補助具として機能する。
【０００９】
また、毛の支持部を摩擦抵抗の大きい弾性体により構成することが好ましい。このような構成とすることで、支持部に導入された毛が摩擦抵抗の大きい弾性体で構成した支持部により確実に引き起こされることになり、また、支持部を肌に当てた時の刺激が緩和されることになる。
また、アタッチメントは刈り高さが調整可能であることが好ましい。すなわち、脱毛に当たっても最適な毛の長さは脱毛時の刺激、毛の太さ、密度等など条件によって個人により様々であるが、刈り高さが調整可能であることで、使用者に応じて刈り高さに揃えることができる。
【００１０】
また、アタッチメントを切断ヘッドに装着することでくし刃がポップアップするものであることが好ましい。このような構成とすることで、アタッチメントを装着することで、くし刃がポップアップすることで、簡単な構成でくし刃をポップアップすることができるものである。
【００１１】
【発明の実施の形態】
以下本発明の実施形態を添付図面に基づいて説明する。
本発明の脱毛装置は、手で把持できる本体ケーシング１に対して脱毛ヘッド１Ｈと、くし刃を備え且つ毛を一定の高さに切り揃えるための刈り高さ揃え用のアタッチメント７９を着脱自在に設けた切断ヘッド２Ｈとを選択して着脱自在に取付けることで構成される。
【００１２】
図１乃至図３２には本発明の一実施形態が示してある。図１乃至図１７には本体ケーシング１に脱毛ヘッド１Ｈを着脱自在に取り付けて、脱毛することにつき説明してあり、図１８乃至図２５には本体ケーシング１に切断ヘッド２Ｈを着脱自在に取付けて毛を切断することにつき説明してあり、図２６乃至図３２には切断ヘッド２Ｈに着脱自在に装着するアタッチメント７９と該アタッチメント７９を切断ヘッド２Ｈに着脱自在に装着して、脱毛に先立って毛を刈り揃えることにつき説明してある。
【００１３】
まず、本体側駆動ブロックを内装した本体ケーシング１につき説明する。
図１、図２、図４、図５に示すように、本体ケーシング１は前後二つ割りで形成されたハウジング１０内に本体側駆動ブロックを上下移動自在に組み込んであるとともにばね１８によって上方へばね付勢されることで本体側駆動ブロックがフローティング支持してある。ここで、ハウジング１０内面に設けた抜け止め突起１０ｂに本体側駆動ブロックの上端部が当たってハウジング１０から上方に抜けないようになっている。ハウジング１０内の下端部には電源ジャック１４が内装され、また、ハウジング１０の前面部にはスイッチ１５が設けてある。そして前後のハウジング１０の上部には上方に向けて突出した突片部が設けてあり、この突片部の外面部、つまり前のハウジング１０の突片部の前面部及び後のハウジング１０の突片部の後面部が手（指）に持つ部分、つまり指当て部１０ｃとなっている。
【００１４】
本体側駆動ブロックは図５に示すようなもので、コ字状をしたモータケース４にモータ１１を固定し、モータケース４の側部にモータカバー４０１を取付け、モータ１１の出力軸に圧入固定したピニオン１２と、モータカバー４０１に軸４０１ａに回動自在に取付けた中間ギア１３とを噛合わせ、モータカバー４０１の外面側にギアカバー４０２を取付けてピニオン１２、中間ギア１３を覆うことで構成してある。ここで、ギアカバー４０２はモータカバー４０１といっしょにねじ４０２ａによりモータケース４に取付けてある。
【００１５】
モータケース４の上面部には角筒状をしたトンネル部４ａが設けてあり、トンネル部４ａに両側からそれぞれ主体部分が矩形枠状をした保持フック１６の一端部をスライド自在にはめ込み、トンネル部４ａ内において対向する保持フック１６間にばね材１９を介在して両保持フック１６を互いに離れる方向に弾性付勢してあり、更に、保持フック１６には抜け止め突起１６ｃが設けてあって、抜け止め突起１６ｃがトンネル部４ａの上面部に設けた孔４ｂの端縁に当接自在となっていることで、保持フック１６がトンネル部４ａから抜けないようにしてある。また、保持フック１６の端部には略Ｕ字状をした弾性を有する第１のヒンジ部１６ｂが設けてあり、この第１のヒンジ部１６ｂの先端部の両側にそれぞれ逆Ｕ字状をした弾性を有する第２のヒンジ部１６ａが設けてあり、第２のヒンジ部１６ａが着脱釦１７の孔１７ａにはめ込んで取付けてある。ここで、上記第１のヒンジ部１６ｂは保持フック１６のスライド方向（本体ケーシング１の左右方向）に対してＵ字状となっており、第２のヒンジ部１６ａは保持フック１６のスライド方向と直交する方向（本体ケーシング１の前後方向）に逆Ｕ字状となっており、したがって、着脱釦１７は弾性を有して上下方向及び左右方向に変形自在な第１のＵ字状をしたヒンジ部１６ｂと弾性を有して上下方向及び前後方向に変形自在な第２の逆Ｕ字状をしたヒンジ部１６ａとを介して保持フック１６に連結してある。
【００１６】
一方、着脱釦１７は本体ケーシング１を構成するハウジング１０の左右両側面部に設けた釦孔１０ａに左右方向にスライド自在に取付けてある。したがって、本体ケーシング１に対して着脱釦１７は左右方向にスライドするのみで上下方向、前後方向には移動せず、このため、モータケース４が上下移動しても着脱釦１７は本体ケーシング１に対して上下移動せず、また、着脱釦１７を介して本体ケーシング１側にモータケース４側からの振動が伝達するのを第１のＵ字状をしたヒンジ部１６ｂと、第２の逆Ｕ字状をしたヒンジ部１６ａとで前後方向と左右方向との振動を吸収するようになっており、また、ばね１８により上下方向（スイング方向）の振動を吸収し、これにより全方向において本体ケーシング１に振動が伝わるのを押さえ、使い勝手がよく、騒音を低くするようにしている。
【００１７】
また、主体が矩形枠状をした保持フック１６の枠状部分の開口１６ｅ内には本体側駆動ブロックの伝達ギアとなる中間ギア１３の上部が露出するようになっている。
次に、脱毛ヘッド１Ｈについて説明する。図１乃至図３、図６乃至図８等に示すように、脱毛ヘッド１Ｈは、駆動ブロックと、脱毛ブロック２と、脱毛フレームブロックとで構成してある。
【００１８】
駆動ブロックは図６に示すようなもので、カムケース６にカムケース基台８と、カムケースカバー７とをねじ８ｎ、７ｎにより固定してケース体６Ａが構成してある。カムケース基台８の下面部には下方に向けて一対の取付け用係止部８ｂを設けてあり、該取付け用係止部８ｂ間にモータケース４の上面部に設けた角筒状をしたトンネル部４ａを嵌め込み、両保持フック１６の端部に設けた取付け用被係止部１６ｄをそれぞれ取付け用係止部８ｂに係止して取付けるものである。なお、取付け用被係止部１６ｄと取付け用係止部８ｂとを着脱自在に取付けるための説明は後述により詳細に説明する。
【００１９】
上記ケース体６Ａのカムケース基台８の上面側には軸９ｈにより回転カム９が回転自在に取付けてあり、この回転カム９は下面部にフェースギア９ｂが設けてあり、また、図６、図１１、図１２に示すように、回転カム９の上面部の外周部には平面視環状をしたカム部９ｃが設けてあり、このカム部９ｃのレベルは場所によって異なるものであり、また、回転カム９の上面部には平面視環状をしたカム溝９ａが設けてあり、この環状をしたカム溝９ａは半径が場所によって異なる溝となっている。
【００２０】
図６に示すように、カムケース６とカムケース基台８とに上下両端部を取付けた軸３７に出力部を構成する振動体３５が上下移動自在に取付けてあり、この振動体３５には振動ローラ３３が回動自在に取付けてあり、上下移動自在な振動体３５がばね３６ｂにより下方に弾性的に押圧されて振動体３５に取付けた振動ローラ３３が回転カム９のカム部９ｃに弾性的に押し付けられていて常にカム部９ｃに振動ローラ３３が追従するようにしてある。振動体３５の両側には上方に向けて突腕３５ａが突設してあり、この突腕３５ａの上端部が弧状に屈曲している。この弧状に屈曲した上端部はカムケース６に設けた孔６ｃから上方に突出している。また、図６に示すようにゴム等の弾性体で形成した緩衝部材３６がカムケース基台８に取付けてあり、前記カム９ｃの下面に振動ローラ３３が当たる前に上端を振動体３５の下面が緩衝部材３６に当たるようにして音の発生をなくしている。
【００２１】
図１、図２、図６に示すように、カムケース基台８には軸８ｊにより脱毛ヘッド１Ｈ側の伝達ギアとなる駆動ギア３２が回転自在に取付けてあり、この駆動ギア３２は中間ギア１３と噛み合っている。駆動ギア３２にはギア３２ａが設けてあって、該ギア３２ａが回転カム９のフェイスギア９ｂと噛み合っている。
したがって、モータ１１が回転すると、ギア群を介して回転カム９が回転し、回転カム９の回転によりカム部９ｃ上を振動ローラ３３が上下移動しながら転動し、これにより振動体３５が上下して振動体３５の突腕３５ａが上下するようになっている。
【００２２】
一対の可動レバー２７の端部がカムケース６とカムケース基台８とに取付けた軸２８に回動自在に取付けてあり、上記軸２８は上端部をカムケース６に設けた孔に嵌め込むと共に下端部をカムケース基台８に取付ける支持板３１に設けた孔にはめ込んである。可動レバー２７の先端部の下面部から突出した軸２７ａにローラ２９を回動自在に取付けてあり、また、可動レバー２７の上面部から突出した軸２７ｂがカムケース６の上面部に形成した長孔６ｂに移動自在に挿通してあり、この軸２７ｂの先端部に角型をした駆動ころ３０が回転自在に取付けてある。ローラ２９は回転カム９のカム溝９ａ内にはめ込んであり、回転カム９が回転することで、可動レバー２７が揺動し、これにより駆動ころ３０が揺動するようになっている。ここで、カム溝９ａは図１１、図１２に示すように、両可動レバー２７が同時に逆方向に揺動させることができるような形状となっており、図に示す実施形態においては、回転カム９の１回転で両可動レバー２７が図１１のように両ローラ２９間が最も広がる状態と、図１２のように両ローラ２９間が最も狭まる状態とが各々２回ずつ生じるようになっている。
【００２３】
図１、図２、図６に示すように、カムケース６にカムケース基台８と、カムケースカバー７を固定して構成したケース体６Ａの上部には脱毛ヘッドケース３９の下部が被嵌されてねじ３９ｎにより取付けられる。脱毛ヘッドケース３９は上面部に開口部３９ａを設けてあり、両側上部にＵ字状をした切欠部３９ｂが設けてある。脱毛ヘッドケース３９の両側部とケース体６Ａの両側面との間には隙間が形成され、この隙間にフレーム着脱釦３８が配置され、このフレーム着脱釦３８とケース体６Ａとの間にばね材３８ｂが介装されてフレーム着脱釦３８を脱毛ヘッドケース３９の側部の内面に押し付けている。また、フレーム着脱釦３８の両側の突起３８ａをカムケース６とカムケースカバー７の溝７ａに係合させて上下支持をしている。ここで、フレーム着脱釦３８の操作部３８ｄが上記切欠部３９ｂに嵌まり込んで外部に露出している。
【００２４】
脱毛フレームブロックは図３、図８に示すように、前記フレーム着脱釦３８に着脱自在に設けられたフレーム５と肌伸ばし４０、４１と連結アーム４２、４３とで主に構成してある。
フレーム５の両側部の内面下部に円弧状をした係止孔５ｐを設けてあり、図１、図２、図６のように、脱毛ケースユニット３９の弧状面となった上面部３９ｃにフレーム５の両側壁部の下端部の弧状部５ｏを載置し、ケース体６Ａの両側上部の外面側（すなわちカムケース６の上突片６ｅの外面と、カムケースカバー７の上突片７ｅの外面）に設けた支持突部６ｆ、７ｆにフレーム５の両側部の内面部に設けた軸支部５ｆを嵌め込み、この状態で、フレーム着脱釦３８の上端部に設けた係止爪３８ｃを円弧状をした係止孔５ｐに係止することでフレーム５が脱毛ケースユニット３９に取付けられる。ここで、フレーム５は脱毛ケースユニット３９を取付けたケース体６Ａと一緒に上下移動するようにフロート自在となっているが、更に、支持突部６ｆ、７ｆと軸支部５ｆとの軸支部分を中心にしてスイング自在となっているものである。なお、係止孔５ｐは円弧状をしているので、フレーム５が支持突部６ｆ、７ｆと軸支部５ｆとの軸支部分を中心にしてスイングする際に、係止爪３８ｃが円弧状の係止孔５ｐ内を移動してフレーム５のスイングに当たって支障がないようにしてある。
【００２５】
フレーム５を取り外すにはフレーム着脱釦３８の操作部３８ｄをばね材３８ｂに抗して押すことで係止爪３８ｃを係止孔５ｐから外してフレーム５を取り外すことができるものである。
次に、本発明における脱毛ブロック２について詳述する。ケース体６Ａの上端部に配されている脱毛ブロック２は、図１乃至図３、図７に示すように、軸２５によってケース体６Ａの両側上端部間に回転自在に架設されている回転体２０に、脱毛爪３と、上記一対の可動レバー２７の駆動による角型をした駆動ころ３０の揺動の動きを受けて脱毛爪３を動かす一対のスライダー２２、２２とを設けたもので、回転体２０の下部側に位置している両スライダー２２、２２は、回転体２０の両端間に架設された軸２４、２４によって回転体２０に対し、上記軸２５と平行な方向にスライド自在とされている。
【００２６】
脱毛ブロック２における脱毛爪３は、回転体２０の軸方向に所定の間隔で並んでいる複数枚の固定爪３ａと、各固定爪３ａ間に配されている複数枚の可動爪３ｂとからなるもので、可動爪３ｂは、下端の係合突起３ｅの数と位置とが異なる２種が回転体２０の軸方向において交互に配設されているとともに、両側縁から突出する支持突起３ｃ、３ｃが回転体２０によって支持されることで、回転体２０に対し、回転体２０の軸方向と直交する方向の軸のまわりに揺動自在とされている。図６中の３ｄは可動爪３ｂにおける前記軸２５が挿通される孔である。
【００２７】
回転体２０にスライド自在に取り付けられている一対のスライダー２２、２２は、軸方向において相互に重なる部分を備えているとともに上記一対の可動レバー２７によって相反する方向にスライド駆動されて、一方のスライダー２２が回転体２０の軸方向に並んでいる複数枚の可動爪３ｂのうちの１枚おきを同時に揺動させ、他方のスライダー２２が残る可動爪３ｂを同時に逆方向に揺動させるもので、両スライダー２２、２２には可動爪３ｂの係合突起３ｅが係合する係合溝２２ａが上面に設けられている。ただし、一方のスライダー２２は一列に並ぶ係合溝２２ａを、他方のスライダー２２は２列で並ぶ係合溝２２ａを一方のスライダー２８の係合溝２２ａの両脇に備えたものとなっており、一列に並んでいる複数枚の可動爪３ｂが両スライダー２２、２２に交互に係合している。そして両スライダー２２、２２の下面には、夫々軸２５を中心とする円弧となっている溝２２ｂが設けられており、各溝２２ｂに前記一対の可動レバー２７の各駆動ころ３０が係合している。
【００２８】
また、図７に示すように回転体２０の円周部には固定爪３ａの前方に大きな凹所２０ｂが設けられており、この凹所２０ｂには回動自在に取付けられたローラ２１が回転体２０に設けられた端部に位置する固定爪３ａの周方向にある取付け孔２２ｃに軸２１ａによって圧入固定してある。この時、ローラ２１に軸２１ａを圧入固定して、取付け孔２２ｃに軸２１ａを遊挿してもよい。これにより回動時に回転体２０のリブの摺動刺激によって悪くなっていた肌当たりは回動自在に取付けられたローラ２１によって肌を引っ張らずに転がるために肌当たりが良いものとなり、骨部でも固定爪３ａと可動爪３ｂの肌への衝撃がローラ２１によってやわらげられるため、肌当たりが非常に良いものとなる。
【００２９】
カムケース６とカムケースカバー７との間に組み込まれる駆動手段は、図１、図２、図６、図７、図１１、図１２に示すように、レバー２６の下端部を駆動ギア３２に設けた偏心軸３２ｂに回転自在に取付けると共にレバー２６の上端部を回転体２０の側面部に設けた偏心軸２０ａに回転自在に取付けることで構成してあり、モータ１１を回転して駆動ギア３２が回転すると、レバー２６を介して回転体２０が軸２５を中心に所定角度内の往復回動を行う。この回動は、ローラ２１が脱毛ヘッドケース３９の上面開口のほぼ中央に位置する状態と、脱毛爪３における可動爪３ｂが同じ位置にくる状態との間でなされるようにしてある。そして上記回動と同時に、可動レバー２７が夫々軸２８を中心に相反する方向の往復回動を行って、脱毛ブロック２における一対のスライダー２２、２２に相反する方向の往復直線運動を行わせるために、スライダー２２、２２の往復動で往復揺動を行う可動爪３ｂは、一つおきの固定爪３ａの両面に隣合う２つの可動爪３ｂが同時に接する動作と、残る固定爪３ａの両面に隣合う２つの可動爪３ｂが同時に接する動作とを繰り返す。尚、両端の固定爪３ａは、夫々片面のみに可動爪３ａが接することから、他の固定爪３ａよりも肉厚として強度を持たせてある。
【００３０】
ここにおいて、本実施形態に係るものでは、脱毛ブロック２の軸２５を中心とする２回の往復回動の間に、可動爪３ｂが１回の往復動を行うように、カム溝９ａを構成してある。つまり、脱毛ブロック２の軸２５を中心とする１回の往復回動の間に、可動爪３ｂが一側の固定爪３ａに接している状態から他側の固定爪３ａに接する状態に移行するようにしてある。
【００３１】
そして、本実施形態において、図１１、図１２に示すように、回転カム９の１回転で両可動レバー２７が２往復回動するように構成してあるので、ギヤ３２ａとフェイスギア９ｂとを１：４の歯数組み合わせとすることで、常に回転体２０の回動と、毛の把持を一致させることができるものである。
また、この可動爪３ｂの上記移行は、脱毛ブロック２の軸２５を中心とする往復回動の両死点のうち、可動爪３ｂがフレーム５の上開口に位置している時の死点の時点で大半がなされるとともにこの時点の移行で可動爪３ｂが固定爪３ａに接するようになっており、他方の死点において、接していた固定爪３ａから可動爪３ｂがわずかに離れる動きがなされるものとなっている。
【００３２】
つまり、ローラ２１が肌に接している状態から、脱毛ブロック２の軸２５を中心とする一方向回転によって、固定爪３ａと可動爪３ｂとが肌に面する位置に来た時、固定爪３ａと可動爪３ｂとによる毛の挟持がなされ、この挟持がなされた状態のままで脱毛ブロック２の逆方向回転がなされることで毛の引き抜きがなされるとともに、上記ローラ２１が再度肌に接する状態となった時、挟持していた毛の解放がなされるという動作が繰り返されることになる。
【００３３】
このように、本実施形態においては脱毛サイクルは、爪を開にして毛を導入し、次に爪を閉じて毛を把持し、次に回転体２０の回動により毛を引き抜き、次に爪を開いて毛を離すという規則的なサイクルである。このため、本実施形態においては、規則的に毛を抜くことによる脱毛刺激（脱毛による痛み）が発生するものである。
【００３４】
次に、脱毛フレームブロックは図８に示すように、前記フレーム着脱釦３８に着脱自在に取付けられたフレーム５と、肌伸ばし部４０、４１と、連結アーム４２、４３と、肌当て部材とで主に構成してある。図１乃至図３、図８に示すように、前後壁部と左右壁部とで構成された枠状をしたフレーム５内には脱毛手段である脱毛ブロック２が配置してあり、更に、この脱毛ブロック２の前後にそれぞれ肌伸ばし部４０、４１が配置してあり、肌伸ばし部４０、４１に設けた軸４０ａ、４１ａをそれぞれフレーム５に設けた孔５ａ、５ｂに回転自在に取付けてある。また、前に位置する肌伸ばし部４０の前方には前に位置する肌当て部材であるくし状のコーム５１が配設してあり、後に位置する肌伸ばし部４１の後方には後に位置する肌当て部材であるローラ５４が配設してある。
【００３５】
図９、図１０に示すように、前後の肌伸ばし部４０、４１は連結アーム４２、４３により連結してある。連結アーム４２、４３はぞれぞれ前後方向の略中央部の下面部に突起４２ｇ、４３ｇが突設してある。連結アーム４２は連結アーム４３の内側に配置されるものであって、この連結アーム４２の突起４２ｇの側面側に軸４２ｃが突設してある。また、連結アーム４２の前端には長孔４２ａが設けてあり、連結アーム４２の後端には孔４２ｂが設けてある。一方、連結アーム４３の後端には長孔４３ａが設けてあり、連結アーム４３の前端には孔４３ｂが設けてある。連結アーム４２の後端の孔４２ｂにフレーム５の内部の両側後部に設けた軸５ｃに回動自在に挿入してあり、連結アーム４２が該軸５ｃを支点にして回動自在となっている。また、連結アーム４３の前端部の孔４３ｂにフレーム５の内部の両側後部に設けた軸５ｄに回動自在に挿入してあり、連結アーム４３が該軸５ｄを支点にして回動自在となっている。連結アーム４３の後端と後の肌伸ばし部４１とがピン４１ｂにより回動自在に連結してあり、この場合、連結アーム４３に設けた長孔４３ａにピン４１ｂがスライド自在に挿入してある。また、連結アーム４２の前端と前の肌伸ばし部４０とがピン４０ｂにより回動自在に連結してあり、この場合、連結アーム４２に設けた長孔４２ａにピン４０ｂがスライド自在に挿入してある。連結アーム４２と連結アーム４３は前後方向の略中間位置においてピン４２ｃにより回転自在に連結枢支してある。ここで、連結アーム４３に設けたピン４２ｃが挿入される孔は長孔４３ｃとなっている。
【００３６】
一対の連結アーム４２の後端部には垂下部４２ｄが垂下してあり、該垂下部４２ｄの下部間を連結桟部４２ｅにより一体に連結してあり、更に、垂下部４２ｄから斜め前方に向けて弾性を有する戻しばね部４２ｆが一体に突設してある。また、一対の連結アーム４３の後端部には垂下部４３ｄが垂下してあり、該垂下部４３ｄの下部間を連結桟部４３ｅにより一体に連結してあり、更に、垂下部４３ｄから斜め前方に向けて弾性を有する戻しばね部４３ｆが一体に突設してある。そして、上記垂下部４２ｄ、連結桟部４２ｅ、戻しばね部４２ｆはフレーム５とケース体６Ａの上部との間に配設され、また、垂下部４３ｄ、連結桟部４３ｅ、戻しばね部４３ｆはフレーム５とケース体６Ａの上部との間に配設される。
【００３７】
一方、連結アーム４２、４３に設けた突起４２ｇ、４３ｇの下端面は円弧状をしており、この連結アーム４２、４３の突起４２ｇ、４３ｇの下端面に振動体３５に設けた突腕３５ａの上端部が当接している。
ここで、振動体３５が上方に移動することで、突起４２ｇを上方に押し上げ、連結アーム４２が軸５ｃを支点にして回動し、長孔４２ａ部分が押し上げられる（図１０、図１４の状態）。この時前の肌伸ばし部４０がピン４０ａによりフレーム５に連結されており、また、ピン４０ｂにより長孔４２ａと連結されているため、ピン４０ａとの連結部分を支点としてピン４０ｂが長孔４２ａ内を摺動し、前の肌伸ばし部４０がスイングし、これによりくし状をした前の肌伸ばし部４０が肌を押して前方に伸ばす。同時に、突起４３ｇを上方に押し上げることで、連結アーム４３が軸５ｄを支点にして回動し、長孔４３ａ部分が押し上げられる。この時後の肌伸ばし部４１がピン４１ａによりフレーム５に連結されており、また、ピン４１ｂにより長孔４３ａと連結されているため、ピン４１ａとの連結部分を支点としてピン４１ｂが長孔４３ａ内を摺動し、後の肌伸ばし部４１がスイングし、これによりくし状をした後の肌伸ばし部４１が肌を押して後方に伸ばす。このように振動体３５が上方に移動して前の肌伸ばし部４０が前方にスイングして肌を前方に伸ばすと共に後の肌伸ばし部４１が後方にスイングして肌を後方に伸ばして、脱毛爪３による脱毛が確実且つ容易にできるようにし、また、肌を伸ばして脱毛することで、脱毛時の痛みを低減するようになっている。
【００３８】
ところで、上記のように振動体３５が上方に移動して、突起４２ｇ、４３ｇが上方に押し上げられて前後の肌伸ばし部４０、４１がスイングして肌伸ばしを行った場合、連結アーム４２、４３の回動により戻しばね部４２ｆ、４３ｆが図１４のようにケース体６Ａに強く押し付けられて復帰ばね力が蓄積される。したがって、振動体３５が下方に移動すると上記振動体３５の下方への移動に追従するように上記戻しばね４２ｆ、４３ｆに蓄積されていた復帰ばね力により連結アーム４２、４３が前記とは逆に回動し、図９、図１３の状態に戻るのである。このように振動体３５の下方への移動時にばね４２ｆ、４３ｆの復帰ばね力により連結アーム４２、４３が逆に回転し、振動体３５の上端部に突起４２ｇ、４３ｇの下端面が当接したままの状態で突起４２ｇ、４３ｇが下方に移動するものである。したがって、振動体３５が再び上方に移動して突起４２ｇ、４３ｇを上方に押し上げる際、振動体３５が突起４２ｇ、４３ｇに衝突することがなく、振動体３５と突起４２ｇ、４３ｇとの連結点における衝突音のない肌伸ばしができるものである。
【００３９】
上記のように本実施形態においては、肌伸ばし手段に設けた肌伸ばし部４０、４１のスイングにより初期位置から肌を伸ばす方向への肌伸ばし運動と、肌伸ばし位置から初期位置に戻す方向の運動を行うようになっており、このように肌伸ばし手段に設けた肌伸ばし部４０、４１の運動がいずれも初期位置から肌を伸ばす方向への肌伸ばし運動と、肌伸ばし位置から初期位置に戻す方向の運動とを行うように構成してあるので、肌が引っ張られる時の痛みや、毛を引き抜く時の抵抗を小さくして、脱毛時の痛みを低減し、また、駆動負荷も小さくでき、更に、毛を巻き込むことがないものである。
【００４０】
ここで、前に位置する肌当て部材であるコーム５１は弾性エラストマで外周を囲んであり、コーム５１の上端部の櫛状突部５１ａ部分は弾性エラストマで形成してある。弾性エラストマはコーム５１を有する肌当て部材５を形成する際に同時成形されるものである。この弾性エラストマの硬度は５０°〜８０°にしてあり、肌当たりを良くしながら肌を伸ばし、毛を整毛することができるようにしてある。このコーム５１はフレーム５に設けたガイド部５ｅに両側をガイドされて上下方向に移動可能としてあり、フレーム５の前面部に横方向に移動自在に設けたハンドル５２の裏面側に突設したボス５２ａを上下方向に移動可能としたコーム５１のカム溝部５１ｂにはめ込んであり、ハンドル５２を横方向に移動することで、コーム５１を上下方向に移動して上下方向の位置を選択して上下方向の設定した位置で固定することができるようにしてある。これにより肌当て部材を構成するコーム５１により肌伸ばし手段による肌伸ばし量の調整を行うことができるものであり、肌当て部材であるコーム５１を上方に移動させると、肌伸ばし部の肌伸ばし量を少なくして骨部等の肌当たりを良くすることができる。
【００４１】
また、後ろに位置する肌当て部材を構成するローラ５４は弾性エラストマにより形成してあって軸４１ａにより回転自在に取付けてあり、肌に追従して転がるようにしてある。
ここで、脱毛ヘッド１Ｈを本体ケーシング１に対して着脱する例につき説明する。すでに述べたように、本体ケーシング１にフロート自在に内装されたモータケース４の上面部には横方向に移動自在な保持フック１６が設けてあり、脱毛ヘッド１Ｈの脱毛ヘッドケース３９に内装したケース体６Ａの下面部（つまりカムケース基台８の下面部）には取付け用係止部８ｂが設けてあり、取付け用係止部８ｂを保持フック１６の端部に設けた取付け用被係止部１６ｄに着脱自在に係止することで、ケース体６Ａを内装した脱毛ヘッドケース３９を本体ケーシング１に対して着脱自在に取付けるのであるが、この場合、保持フック１６の端部に設けた取付け用被係止部１６ｄの上面部が傾斜面となっており、また、取付け用係止部８ｂの下端部も傾斜面となっており、更に、横方向に移動自在な保持フック１６がばね材１９により弾性付勢してあるので、図１５の状態でケース体６Ａの下面部（つまりカムケース基台８の下面部）をモータケース４の上面部に押し当てることで、取付け用係止部８ｂの傾斜面が上記取付け用被係止部１６ｄの上面部の傾斜面に当たって、ばね材１９に抗して保持フック１６が横方向に移動することで、取付け用係止部８ｂが下方に押し込まれて取付け用被係止部１６ｄに係止するものである。このようにして脱毛ヘッド１Ｈを本体ケーシング１に対して取付けると、駆動側伝達ギアである中間ギア１３に設けたギア１３ａが脱毛ヘッド１Ｈ側の伝達ギアとなる駆動ギア３２に噛み合うものである。上記脱毛ヘッド１Ｈを本体ケーシング１に対して取付ける際、両着脱釦１７を押して両保持フック１６をばね材１９に抗して互いに近付く方向に移動させて取付け用被係止部１６ｄをトンネル部４ａ内に没入させた状態で一対の取付け用係止部８ｂをトンネル部４ａの両側に位置させ、この状態で着脱釦１７を離すことで取付け用被係止部１６ｄを取付け用係止部８ｂに係止するようにしてもよい。
【００４２】
一方、ケース体６Ａを内装した脱毛ヘッドケース３９を取り外すには、両着脱釦１７を押すことで、ばね材１９に抗して両保持フック１６が互いに近付く方向に押され、これにより取付け用被係止部１６ｄが取付け用係止部８ｂから外れるので、この状態で脱毛ヘッドケース３９を上方に引き抜くことで取り外すことができるものである。
【００４３】
次に、図１８乃至図２５に基づいて本体ケーシング１に切断ヘッド２Ｈを取付ける場合について説明する。
本体ケーシング１に着脱自在に取付けられる切断ヘッド２Ｈはくし刃を有しており、また、切断ヘッド２Ｈには毛を一定の高さに切り揃えるための刈り高さ揃え用のアタッチメント７９を着脱自在に設けられる。
【００４４】
切断ヘッド２Ｈの主体は駆動ブロックと刃ブロックとにより構成してある。
まず駆動ブロックにつき図１８、図１９、図２０、図２１に基づいて説明する。基台６０の下面部には前述の脱毛ヘッド１Ｈのカムケース基台８の下面部に設けた一対の取付け用係止部８ｂと同様の取付け用係止部６０ａが設けてあり、前述の脱毛ヘッド１Ｈを本体ハウジング１に着脱自在に取付ける場合と同様に、取付け用係止部６０ａ間に本体ケーシング１のモータケース４の上面部に設けた角筒状をしたトンネル部４ａを嵌め込み、両保持フック１６の端部に設けた取付け用被係止部１６ｄをそれぞれ取付け用係止部６０ａに係止して取付けるものである。なお、取付け用被係止部１６ｄと取付け用係止部６０ａとの着脱自在の説明は前述の取付け用被係止部１６ｄと脱毛ヘッド１Ｈの取付け用係止部８ｂと同じなので説明は省略する。
【００４５】
基台６０の内部には軸６１ｊによりヘッド側駆動ブロックの伝達ギアとなる駆動ギア６１が回転自在に取付けてあり、この駆動ギア６１の下部が図１８のように基台６０に設けた開口部６０ｋに露出していて、上記のように取付け用被係止部１６ｄと取付け用係止部６０ａとを係止して切断ヘッド２Ｈを本体ケーシング１に取付けた状態で、ヘッド側駆動ブロックの伝達ギアとなる駆動ギア６１が本体側駆動ブロックの伝達ギアとなる中間ギア１３と噛み合って動力が伝達されるようになっている。基台６０の内部には更に軸６２ｊによりギア６２が回転自在に取付けてあり、このギア６２に設けたフェイスギア６２ａが駆動ギア６１の小歯車６１ａと噛み合っている。ギア６２にはギア６３が噛み合っていて回転伝達をおこなっている。このギア６３には偏心カム６４が圧入固定してあり、軸６４ａにより偏心カム６４が基台６０に回転自在に取付けてある。基台６０の上端部には基台蓋６６を被せてねじ６６ｍにより固定してあり、基台蓋６６の孔６６ａから上方に偏心カム６４が突出している。偏心カム６４には軸６４ａに対して偏心した位置に偏心カム軸６４ｂが設けてあり、更に偏心カム６４には偏心カム軸６４ｂの反対側に偏重量部６４ｃを設けてあって偏心カム軸６４ｂの回転時のバランスをとるようになっている。
【００４６】
基台蓋６６にはボス６６ｂが突設してあり、このボス６６ｂに駆動子６７の両側のＵ字状をした往復駆動のための弾性を有する薄肉ヒンジ６７ｂの先端部に設けた取付け部を取付けてあり、偏心カム６４に設けた偏心カム軸６４ｂを駆動子６７に設けた弾性アーム部６７ａに連結してあり、偏心カム６４が回転して偏心カム軸６４ｂが回転することで弾性アーム部６７ａを介して駆動子６７を往復駆動するようになっている。駆動子６７には上方に向けて駆動杆６７ｃが突設してある。駆動杆６７ｃの上端部の筒部の内側には押し上げばね６８がはめ込んである。
【００４７】
駆動杆６７ｃは防塵ゴム７１に貫挿してあるが、この防振ゴム７１は押さえ板７２とねじ７２ｍにより切断ユニットケース７０と共に蓋基台６６に取付けてあり、駆動杆６７ｃは防塵ゴム７１が弾性変形することで支障なく往復動ができるようになっている。この場合、基台６０は外周に取付けた防振ゴム６５を介して切断ユニットケース７０に取付けられ、切断ユニットケース７０により駆動ブロックが覆われるものである。
【００４８】
切断ユニットケース７０の一側面には復帰ばね６９ａを介して取付け釦６９を取付けてある。また、駆動杆６７ｃの中央部にはくし刃駆動子７３が取付けてあって駆動杆６７ｃと一体に往復駆動を行うようになっている。
次に、刃ブロックにつき説明する。刃ブロックは図２２に示すように、外刃７７、くし刃ブロック（トリマーブロック）７６、くし刃用レバー７８を設けた外刃フレーム７５と、内刃７４とで構成してある。
【００４９】
内刃７４は駆動杆６７の筒部に着脱自在且つ上下移動自在に取付けられ押し上げばね６８により上方への押し上げ力が付与されるようになっている。
外刃フレーム７５の一側部の内面には係合部７５ａが設けてあって、この係合部７５ａを切断ユニットケース７０の一側部に設けた被係合部７０ａに着脱自在に係合し、更に、外刃フレーム７５の他側部の内面に係止凹部７５ｂが設けてあって、この係止凹部７５ｂに外刃ユニットケース７０に取付けた前述の取付け釦６９の係止爪部６９ｂが復帰ばね６９ａのばね力より弾性的に係止してある。ここで、復帰ばね６９ａに抗して取付け釦６９を押すことで、係止凹部７５ｂから係止爪部６９ｂを離脱させ、これにより係合部７５ａと被係合部７０ａとの係合も解除できて、外刃フレーム７５を取り外すことができるようになっている。
【００５０】
外刃フレーム７５を切断ユニットケース７０に取付けた状態で、内刃７４が外刃フレーム７５に設けたネット刃のような外刃７７に押し付けられ、駆動杆６７が往復動することで毛を切断するようになっている。また、くし刃駆動子７３はくし刃ブロック７６に設けた駆動子と係合し、駆動杆６７が往復動してくし刃駆動子７３が駆動するとくし刃ブロック７６の可動刃７６ａが往復駆動してくし刃状をした固定刃７６ｂとによって毛を切断するようになっている。そして、切断ヘッド１Ｈは、通常の使用状態においてはくし刃ブロックの上記可動刃７６ａと固定刃７６ｂとで構成されるくし刃が図１９に示すように外刃７７とほぼ同じレベルに位置しており、ネット刃よりなる外刃７７と内刃７４とによる毛の切断と、可動刃７６と固定刃７６ｂとで構成されるくし刃とによって毛を同時切断するものである。
【００５１】
くし刃レバー７８はくし刃ブロック７６を上下移動させるためのものであり、後述のように切断ヘッド２Ｈにアタッチメント７９を取付けて脱毛のための前処理のために毛を短く刈り揃える際に、上記切断ヘッド２Ｈのくし刃の通常使用状態よりも更に上方に移動して、つまりポップアップして使用できるようになっている。
【００５２】
次に、脱毛に先立って、毛を所定の長さに刈り揃えるために使用する部材であるアタッチメント７９につき説明する。
アタッチメント１は切断ヘッド２Ｈに刃部を覆い隠すように着脱自在に被せて取付けられるものであり、アタッチメント１の天面部は略フラットに形成してあり、図２２、図２６、図２７に示すように、外刃フレーム７５の前面部から天面部にかけて長孔７９ａを形成してあり、長孔７９ａ間のリブ７９ｂは天面部の前端部から前方に略くちばし状に突出したとがり部７９ｃとなっている。上記リブ７９ｂはアタッチメント７９全体の剛性を保つものであり、図２２、図２６、図２７のように天面部から前面部に一連につながっていることが望ましいが、アタッチメント７９の材質や、その肉厚等により剛性が充分とれれば図３３に示すように前面部につながっていなくて前面部においては開口となっていてもよい。図２７に示すように、アタッチメント７９は下方に開口し、切断ヘッド２Ｈに覆いかぶせることができるような内面形状をしており、また、アタッチメント７９の各部の肉厚はほぼ均一な肉厚となっている。
【００５３】
アタッチメント７９の内面部の前後方向の略中間部の天面部と左右両側面部とのなすコーナ部分には略三角形状をした支持リブ７９ｄが設けてあり、アタッチメント７９を切断ヘッド２Ｈに覆い被せて装着した時、支持リブ７９ｄが切断ヘッド２Ｈの外刃フレーム７５の上端部に当接され、アタッチメント７９の装着時にアタッチメント７９の天面部方向からの外力をこの支持リブ７９ｄを介して外刃フレーム７５で受けることができるようにしてある。また、アタッチメント７９の後面部の内面部には細長縦リブ７９ｅが設けてあり、アタッチメント７９を切断ヘッド２Ｈに覆い被せて装着した時、細長縦リブ７９ｅが外刃フレーム７５の後面部に当接され、アタッチメント７９の装着時にアタッチメント７９の後面部方向からの外力をこの細長縦リブ７９ｅを介して外刃フレーム７５で受けることができるようにしてある。アタッチメント７９の左右両側面部の内面部の下部には円形をした複数の突部７９ｆが設けてあり、アタッチメント７９を切断ヘッド２Ｈに覆い被せた状態で、上記突部７９ｆが切断ヘッド２Ｈの切断ユニットケース７０に設けた円形をした複数の凹部７０ｂ（図示せず）に着脱自在に嵌合することで、アタッチメント７９の切断ヘッド２Ｈへの取付け状態を保持できるようにしてある。
【００５４】
アタッチメント７９を切断ヘッド２Ｈに覆い被せて装着し、支持リブ７９ｄが切断ヘッド２Ｈの外刃フレーム７５の上端部に当接されることで、図３１に示すように、くし刃ブロック７６をポップアップした状態で、アタッチメント７９の内面部がポップアップしたくし刃ブロックの可動刃７６ａと固定刃７６ｂとで構成されるくし刃の近傍を囲った状態となるが、この場合、アタッチメント７９の天面部と、くし刃ブロック７６の可動刃７６と固定刃７６ｂとで構成されるくし刃とが近接して一定の距離（つまりくし刃による刈り揃え高さのための距離）を確保するものである。また、外刃フレーム７５の前面部から天面部にかけて形成した長孔７９ａはくし刃ブロック７６の可動刃７６と固定刃７６ｂとで構成されるくし刃と直交方向に切り込まれた長孔であって、該長孔７９ａの後端部は図３１に示すように、可動刃７６が固定刃７６ｂに重なるポイント（カットポイント）７６ｃよりも後方（つまりくし刃の刃先よりも後方）に寸法Ｐだけずれて位置させてある。
【００５５】
長孔７９ａ間のリブ７９ｂに設けた前方に突出する略くちばし状のとがり部７９ｃは、アタッチメント７９の略フラットとなった天面部を肌に当てた状態で前方に移動させることで、略くちばし状に突出したとがり部７９ｃの先端が、長い毛の毛先をすくいながら、毛を長孔７９ａに導入し、導入された毛は毛の支持部となるリブ７９ｂに支えられて起きてきて、くし刃ブロック７６の可動刃７６ａと固定刃７６ｂとで構成されるくし刃に導入されて切断される。この時、アタッチメント７９の天面部とくし刃のカットポイント７６ｃ間が脱毛時の最適な毛の長さｌ1 に設定しておけは、カットポイント７６ｃに導入された毛はほぼ肌面（アタッチメント７９の天面部）に対して垂直であり、最適な毛の長さｌ1 にカットできるのである。ここで、長孔７９ａの後端がカットポイント７６ｃよりも前にあると、先に長孔７９ａの後端に毛が当たり、くし刃のカットポイントに毛が到達する前に逆方向に押し倒されるので、上記のように長孔７９ａの後端はカットポイント７６ｃよりも後方にあるのが必須要件になるのである。
【００５６】
略くちばし状に突出したとがり部７９ｃを有するリブ７９ｂを摩擦抵抗の大きい弾性体などで形成した場合、上記毛を支持する際に毛がリブ７９ｂを滑ることなく引っ掛け上げることができるためより効率的にカットできるものである。また、弾性体であると、略くちばし状のとがり部７９ｃが肌を引っかいたとしても、刺激を軽減できるものである。
【００５７】
上記のようにして脱毛に先立って、アタッチメント７９を切断ヘッド２Ｈに装着し、くし刃ブロック７６をポップアップさせた状態で脱毛すべき毛を一定の長さに刈り揃え、その後、切断ヘッド２Ｈを本体ケーシング１から取り外し、本体ケーシング１に脱毛ヘッド１Ｈを取付け、一定の高さに刈り揃えた毛を脱毛ヘッド１Ｈにより脱毛するのである。
【００５８】
このように、脱毛に先立って毛を一定の刈り高さに刈り揃え、その後脱毛するので、毛の根本を掴んで効率的に且つ痛みを少なくして確実に脱毛ができることになる。
図３２はアタッチメント７９を刃ヘッド２Ｈに覆い被せて装着した状態で、くし刃ブロック７６が下がった状態である。この状態で保管しておくと、外刃７７やくし刃をアタッチメント７９により覆われて外力から保護することができるものである。
【００５９】
図３４にはアタッチメント７９の他の実施形態が示してある。本実施形態のアタッチメント７９の基本的構成は図２６、図２７に示すものと同じであり、異なる構成についてのみ説明する。この実施形態においては、リブ７９ｂが先端側が細く、根本側にかけて次第に太くなっており、このような構成とすることで、リブ７９ｂの剛性は均一な太さのものより大きくなり、外力に対しても、有効な構成となる。一方、リブ７９ｂ間に形成される長孔７９ａは毛の導入部（リブ７９ｂの先端側）では広く、カットポイントに近付くと狭くなっている。この時、毛の支持溝である長孔７９ａ間が広いと長孔７９の一方の側壁であるリブ７９ｂの側面７９ｂ′から長孔７９の他方の側壁である隣りのリブ７９ｂの側面７９ｂ′まで毛が移動する余裕があり、くし刃にうまく導入されなかった場合、対向するリブ７９ｂの側面７９ｂ′間で毛がくし刃より逃げてしまって導入されない場合があるが、本実施形態のように、リブ７９ｂ間に形成される長孔７９ａを毛の導入部（リブ７９ｂの先端側）では広く、カットポイントに近付くと狭くなるようにすることで、くし刃に毛を確実に導入することができて、導入が効率的に行えるものである。
【００６０】
次に、図３５乃至図３８に基づいてアタッチメント７９の刃ヘッド２Ｈに対する取付け高さを可変自在にした実施形態につき説明する。
切断ヘッド２Ｈの切断ユニットケース７０の左右両側に円形をした凹部７０ｂを上下方向に複数段（本実施形態においては上下に２段であるが３段以上であってもよい）設けてある。また、各段には１乃至複数個の凹部７０ｂが設けてある。
【００６１】
一方、アタッチメント７９の左右両側面部の内面部の下部には円形をした複数の突部７９ｆが設けてあり、アタッチメント７９を切断ヘッド２Ｈに覆い被せた状態で、上記上下方向に多段に設けた凹部７０ｂのうち任意の段の凹部７０ｂに突部７９ｆを着脱自在に嵌合することで、アタッチメント７９の切断ヘッド２Ｈに対する取付け高さを選択して取付けることができるようになっている。
【００６２】
図３７、図３８は上段の凹部７０ｂに突部７９ｆを嵌合した状態を示し、この状態においては、アタッチメント７９を切断ヘッド２Ｈに覆い被せて取付ける際、アタッチメント７９を切断ヘッド２Ｈに対して上にずらして取付けた状態であり、この場合には、くし刃による刈り揃え高さが高くなるものである。また、下段の凹部７０ｂに突部７９ｆを嵌合するとくし刃による刈り揃え高さが低くなる。
【００６３】
しかして、毛の太さ、硬さ、起毛角等は各人個人差があり、毛の状態が異なるため、脱毛に当たって万人に共通する快適な最適の毛の長さを特定することは不可能である。したがって、脱毛に先立って毛を刈り揃える場合、上記のように刈り揃え高さを調整できる機構を設けることで、使用者にあった脱毛に当たって最適の長さに毛を刈り揃えることができるのである。
【００６４】
次に、図３９乃至図４４には上記とは異なり、切断ヘッド２Ｈへのアタッチメント７９の取付け高さは一定で、切断ヘッド２Ｈに設けたくし刃ブロック７６を上下方向に移動自在として可動刃７６ａと固定刃７６ｂとからなるくし刃の上下方向のレベルを多段階の位置に調整することで、使用者にあった最適の刈り揃え高さが選択できるようにしたものである。
【００６５】
すなわち、外刃フレーム７５にはくし刃ブロック７６を上下移動自在に取付け、このくし刃ブロック７６の上下移動操作をくし刃用レバー７８の操作により行い、更に、くし刃駆動子７３による駆動でくし刃ブロック７６の可動刃７６ａが往復駆動する構成はすでに述べた実施形態と同様であるが、本実施形態においては、くし刃ブロック７６の中央部の駆動子７６ｄの両側方に弾性を有し且つ先端部にフック部７６ｅを有する弾性脚７６ｆを設け、外刃フレーム７５に上下方向に複数の突部７５ｃを設け、くし刃ブロック７６を上下に移動してフック部７６ｅを最下段の突部７５ｃの下面側に係止する状態、フック部７６ｅを突部７５ｃ間に係止する状態、フック部７６ｅを最上段の突部７５ｃの上面側に係止する状態というようにフック部７６ｅの係止位置を選択することで、可動刃７６ａと固定刃７６ｂとからなるくし刃の上下方向のレベルを多段階に調整できて、各段階で保持できるようにしている。
【００６６】
すなわち、図３９、図４０はフック部７６ｅが最下段の突部７５ｃの下面側に係止している状態で、アタッチメント７９の天面部から可動刃７６ａと固定刃７６ｂとからなるくし刃までの距離ｌ3 が確保される。また、図４１、図４２はフック部７６ｅが突部７５ｃ間に係止している状態で、アタッチメント７９の天面部から可動刃７６ａと固定刃７６ｂとからなるくし刃までの距離ｌ2 が確保される。また、図４３、図４４はフック部７６ｅが最上段の突部７５ｃの上面側に係止している状態で、アタッチメント７９の天面部から可動刃７６ａと固定刃７６ｂとからなるくし刃までの距離ｌ1 が確保されるものである。本実施形態では３段階の高さ調整となっているが、これにのみ限定されるものではない。
【００６７】
図４５、図４６には、本発明の更に他の実施形態が示してある。この実施形態においては、アタッチメント７９を切断ヘッド２Ｈに覆い被せて装着しない状態では、くし刃ブロック７６が通常のくし刃ブロック７６の使用状態の位置（つまり、くし刃が外刃７７とほぼ同じレベルとなる）に下降しており、一方、アタッチメント７９を覆い被せて装着した状態では、自動的にくし刃ブロック７６がポップアップして脱毛の前処理としての毛の刈り揃えができるようにしたものである。
【００６８】
すなわち、外刃フレーム７５には左右両側にそれぞれ回動レバー８１が軸部８１ａを中心に回動自在に取付けてあり、この両回動レバー８１の一端部８１ｂがそれぞれ外刃フレーム７５の左右両側面部に設けた孔又は切欠（図示せず）から外刃フレーム７５の外側に突出しており、回動レバー８１の他端部８１ｃが、外刃フレーム７５に上下移動自在に取付けた刃ブロック７６に設けた押し上げ部７６ｇに近接対向している。図４５に示す状態が、くし刃が外刃７７とほぼ同じレベルとなった通常のくし刃ブロック７６の使用状態の位置である。この状態でくし刃による切断と、外刃７７と内刃７４により切断との同時切断による通常の刃ヘッドの使用が行われる。
【００６９】
そして、脱毛の際には、脱毛に先立って毛を一定の高さに刈り揃えるために、切断ヘッド２Ｈにアタッチメント７６を覆い被せて装着するのであるが、この場合、アタッチメント７６を装着すると、アタッチメント７６の左右両側面部により上記回動レバー８１の外刃フレーム７５から外に飛び出した一端部８１ｂを押し下げ、軸部８１ａを中心に回動レバー８１が回動し、回動レバー８１の他端部８１ｃにより刃ブロック７６に設けた押し上げ部７６ｇを押し上げることで、図４６に示すように、くし刃ブロック７６が上方に自動的にポップアップされるものである。したがって、このように切断ヘッド２Ｈにアタッチメント７６を覆い被せて装着すると共にくし刃ブロック７６をポップアップさせた状態で、毛を一定の刈り高さに刈り揃え、その後、切断ヘッド２Ｈを本体ケーシング１から取り外し、本体ケーシング１に脱毛ヘッド１Ｈを取付け、一定の高さに刈り揃えた毛を脱毛ヘッド１Ｈにより脱毛するのである。
【００７０】
なお、アタッチメント７９は使用しない時に図３２に示すように、切断ヘッド２Ｈに覆い被せて装着することで、切断ヘッド２Ｈに設けた刃部を保護することができるが、これだけでなく、脱毛ヘッド１Ｈを使用しない時に脱毛ヘッド１Ｈに覆い被せて脱毛ヘッド１Ｈの切断爪３や、肌伸ばし部４０、４１等を保護するようにしてもよく、また、使用しない時に、本体ケーシング１に切断ヘッド２Ｈを取付けた状態で切断ヘッド２Ｈに覆い被せると共に本体ケーシング１の上部も覆い被せて本体ケーシン１に着脱自在に装着するようにしてもよく、あるいは、使用しない時に、本体ケーシング１に脱毛ヘッド１Ｈを取付けた状態で脱毛ヘッド１Ｈに覆い被せると共に本体ケーシング１の上部も覆い被せて本体ケーシン１に着脱自在に装着するようにしてもよいものである。
【００７１】
【発明の効果】
本発明の請求項１記載の発明にあっては、上記のように、手で把持できる本体ケーシングと、該本体ケーシングに対して選択して着脱自在に取付けられる毛を脱毛するための脱毛ヘッドと、毛を切断するための切断ヘッドとよりなる脱毛装置であって、本体ケーシングに本体側駆動ブロックを内装し、脱毛ヘッドに脱毛するための脱毛ブロックと、脱毛ヘッドを本体ケーシングに取付けた状態で上記本体側駆動ブロックの駆動の伝達により駆動して脱毛ブロックを駆動させるための駆動ブロックとを備え、切断ヘッドに毛を切断するためのくし刃ブロックと、切断ヘッドを本体ケーシングに取付けた状態で上記本体側駆動ブロックの駆動の伝達により駆動してくし刃ブロックを駆動させるための駆動ブロックとを備え、上記切断ヘッドに毛を一定の高さに切り揃えるための刈り高さ揃え用のアタッチメントを着脱自在に設けてあるので、脱毛に先立って、刈り高さ揃え用のアタッチメントを切断ヘッドに装着した状態で本体ケーシングに切断ヘッドを取付け、この状態で脱毛すべき毛を脱毛の前処理として一定の長さに刈り揃え、その後、本体ケーシングから切断ヘッドを外して本体ケーシングに脱毛ヘッドを取付けて刈り揃えた毛を脱毛できて、脱毛時の刺激を小さくできるものである。また、本体ケーシングに切断ヘッドを取付けて、切断ヘッドにアタッチメントを装着しない状態では、通常の切断ヘッドによる毛の切断ができてかみそりとしても使うことができ、部位に応じて毛を脱毛したり、あるいは短く切断したりできるものである。
【００７２】
また、請求項２記載の発明にあっては、上記請求項１記載の発明の効果に加えて、くし刃が通常のカット位置よりもポップアップできるものであって、アタッチメント装着時の刈り高さ揃えがくし刃をポップアップした状態で有効であるこので、くし刃の通常の使用状態とは異なる脱毛に先立っての毛の刈り揃えのための使用に当たって、毛をポップアップしたくし刃に容易に導入して脱毛に先立って一定の長さに刈り揃えることができるのである。
【００７３】
また、請求項３記載の発明にあっては、上記請求項１記載の発明の効果に加えて、アタッチメントが本体ケーシング又は本体ケーシングに取付けたヘッドに着脱自在で、ヘッドの刃部分をアタッチメントにより覆うので、アタッチメントを取付けた使用、アタッチメントを取り外した使用が選択してできるのみならず、使用しない保管時にヘッドの刃部分をアタッチメントにより覆って保護できて、ベット保護キャップを必要とせず、部品点数の削減が達成できるものである。
【００７４】
また、請求項４記載の発明にあっては、上記請求項１記載の発明の効果に加えて、アタッチメントを切断ヘッドに装着した状態で、くし刃と肌との間に毛の支持部を設けてあるので、アタッチメントは肌とくし刃との間の距離を保つための毛を一定の高さに切り揃えるための部材としての機能に加え、毛を導入を助ける補助具としても機能を有しており、特に、支持部により起毛角のない寝た毛を引起して毛先をくし刃まで導くことができるものである。
【００７５】
また、請求項５記載の発明にあっては、上記請求項４記載の発明の効果に加えて、毛の支持部を摩擦抵抗の大きい弾性体により構成してあるので、毛をくし刃に導入して切断するに当たって摩擦抵抗の大きい弾性体よりなる支持部で毛が支持され、毛が滑ることなく確実に導入されて切断できるものである。また、支持部が肌に当たった時の刺激も緩和できるものである。
【００７６】
また、請求項６記載の発明にあっては、上記請求項１記載の発明の効果に加えて、アタッチメントは刈り高さが調整可能であるので、使用者の毛の太さ、硬さ、密度等に応じて、脱毛に当たって痛みが少ない使用者にとっての最適の毛の長さとなるように、毛の刈り高さを選ぶことができるものである。
また、請求項７記載の発明にあっては、上記請求項１記載の発明の効果に加えて、アタッチメントを切断ヘッドに装着することでくし刃がポップアップするものであるので、アタッチメントを切断ヘッドに装着することで、自動的にくし刃を通常の使用状態からポップアップした脱毛に先立っての毛の刈り揃えのための高さにすることができるものである。
【図面の簡単な説明】
【図１】本発明の一実施形態の正面断面図である。
【図２】同上の側面断面図である。
【図３】同上の平面図である。
【図４】同上の本体ケーシングの断面図である。
【図５】同上の本体ケーシング及び内部に内装する部材の分解斜視図である。
【図６】同上の駆動ブロックの分解斜視図である。
【図７】同上の脱毛ブロックの分解斜視図である。
【図８】同上の脱毛フレームブロックの分解斜視図である。
【図９】同上の肌伸ばし部による非肌伸ばし時の肌伸ばし手段の機構を示す斜視図である。
【図１０】同上の肌伸ばし部による肌伸ばし時の肌伸ばし手段の機構を示す斜視図である。
【図１１】同上の回転カムの回転による一対の可動レバーの駆動状態を示す説明図である。
【図１２】同上の回転カムの回転による一対の可動レバーの駆動状態を示す説明図である。
【図１３】同上の肌伸ばし部による非肌伸ばし時の断面図である。
【図１４】同上の肌伸ばし部による肌伸ばし時の断面図である。
【図１５】同上の本体ケーシングに対して脱毛ヘッドを着脱する説明図である。
【図１６】同上の本体ケーシングに対して脱毛ヘッドを取付けた状態の全体正面図である。
【図１７】同上の本体ケーシングに対して脱毛ヘッドを取付けた状態の全体側面図である。
【図１８】本発明において本体ケーシングに対して切断ヘッドを取付けた状態の全体正面断面図である。
【図１９】同上の本体ケーシングに対して切断ヘッドを取付けた状態の全体側面断面図である。
【図２０】同上の切断ヘッドの駆動ブロックの一部を示す分解斜視図である。
【図２１】同上の切断ヘッドの駆動ブロックの他の部分を示す分解斜視図である。
【図２２】同上の刃ブロックを示す分解斜視図である。
【図２３】同上の本体ケーシングに対して切断ヘッドを着脱する説明図である。
【図２４】同上の本体ケーシングに対して切断ヘッドを取付けた状態の全体正面図である。
【図２５】同上の本体ケーシングに対して切断ヘッドを取付けた状態の全体側面図である。
【図２６】本発明に用いるアタッチメントを示し、（ａ）は平面図であり、（ｂ）は正面図である。
【図２７】（ａ）は同上のアタッチメントの正面断面図であり、（ｂ）は側面断面図である。
【図２８】同上のアタッチメントを装着した状態の全体正面図である。
【図２９】同上のアタッチメントを装着した状態の全体側面図である。
【図３０】同上のアタッチメントを装着した状態の全体正面断面図である。
【図３１】同上のアタッチメントを装着した状態で且つくし刃ブロックをポップアップした状態の全体側面断面図である。
【図３２】同上のアタッチメントを装着した状態で且つくし刃ブロックをポップアップしていない状態の全体側面断面図である。
【図３３】本発明に用いるアタッチメントの他の実施形態を示す斜視図である。
【図３４】本発明に用いるアタッチメントの更に他の実施形態を示し、（ａ）は平面図であり、（ｂ）は正面図である。
【図３５】同上の本体ケーシングに切断ヘッドを取付けた状態の他の実施形態の全体正面図である。
【図３６】同上の全体側面図である。
【図３７】同上のアタッチメントを取付けた状態の全体正面図である。
【図３８】同上のアタッチメントを取付けた状態の全体側面図である。
【図３９】本発明の更に他の実施形態を示し、アタッチメントを装着し且つくし刃ブロックを最下段に位置させた状態の全体側面断面図である。
【図４０】同上の外刃フレームとくし刃ブロックを示す断面図である。
【図４１】同上のアタッチメントを装着し且つくし刃ブロックを中段に位置させた状態の全体側面断面図である。
【図４２】同上の外刃フレームとくし刃ブロックを示す断面図である。
【図４３】同上のアタッチメントを装着し且つくし刃ブロックを上段に位置させた状態の全体側面断面図である。
【図４４】同上の外刃フレームとくし刃ブロックを示す断面図である。
【図４５】本発明の更に他の実施形態を示し、くし刃ブロックをポップアップしていない状態の外刃フレームとくし刃ブロックを示す断面図である。
【図４６】同上のくし刃ブロックをポップアップした状態の外刃フレームとくし刃ブロックを示す断面図である。
【符号の説明】
１  本体ケーシング
１７  解除釦
１Ｈ  脱毛ヘッド
２Ｈ  切断ヘッド
７６  くし刃ブロック
７９  アタッチメント
【図１】
0003807063.tif 000002
【図２】
0003807063.tif 000003
【図３】
0003807063.tif 000004
【図４】
0003807063.tif 000005
【図５】
0003807063.tif 000006
【図６】
0003807063.tif 000007
【図７】
0003807063.tif 000008
【図８】
0003807063.tif 000009
【図９】
0003807063.tif 000010
【図１０】
0003807063.tif 000011
【図１１】
0003807063.tif 000012
【図１２】
0003807063.tif 000013
【図１３】
0003807063.tif 000014
【図１４】
0003807063.tif 000015
【図１５】
0003807063.tif 000016
【図１６】
0003807063.tif 000017
【図１７】
0003807063.tif 000018
【図１８】
0003807063.tif 000019
【図１９】
0003807063.tif 000020
【図２０】
0003807063.tif 000021
【図２１】
0003807063.tif 000022
【図２２】
0003807063.tif 000023
【図２３】
0003807063.tif 000024
【図２４】
0003807063.tif 000025
【図２５】
0003807063.tif 000026
【図２６】
0003807063.tif 000027
【図２７】
0003807063.tif 000028
【図２８】
0003807063.tif 000029
【図２９】
0003807063.tif 000030
【図３０】
0003807063.tif 000031
【図３１】
0003807063.tif 000032
【図３２】
0003807063.tif 000033
【図３３】
0003807063.tif 000034
【図３４】
0003807063.tif 000035
【図３５】
0003807063.tif 000036
【図３６】
0003807063.tif 000037
【図３７】
0003807063.tif 000038
【図３８】
0003807063.tif 000039
【図３９】
0003807063.tif 000040
【図４０】
0003807063.tif 000041
【図４１】
0003807063.tif 000042
【図４２】
0003807063.tif 000043
【図４３】
0003807063.tif 000044
【図４４】
0003807063.tif 000045
【図４５】
0003807063.tif 000046
【図４６】
0003807063.tif 000047